(57)【要約】【課題】ライトトンネルの開口面に対する遮光手段の開口面の面内で互いに直交する２方向の少なくとも１方向での位置合せを確実に行いつつ、投影画像の所望量の照度を安定的に確保することができる。【解決手段】遮光マスク部材２３の開口部２３ａの開口面と、ライトトンネル２４の入射部２４ａの開口面とが、入射光の光軸方向に直交する面内で互いに直交する２方向の少なくとも１方向で、互いに略一致するよう位置合せを行う爪部材６０を備え、爪部材６０は、ライトトンネル２４又は遮光マスク部材２３の一方を係止するようにライトトンネル２４又は遮光マスク部材２３の他方に設けられている。【選択図】図７
2015169679.tif 000002
【特許請求の範囲】
【請求項１】
光源と、均一な面光源を得るライトトンネルと、該ライトトンネルからの面光源の光を画像信号に応じて透過又は反射させて変調する光変調素子と、該光変調素子によって変調して生成された表示画像光を投影面に投影する投影手段とを備え、前記光源からの入射光を通過させて前記ライトトンネルの入射口に導く開口部を有する遮光手段を備えた画像投影装置において、
前記遮光手段の前記開口部の開口面と、前記ライトトンネルの入射口の開口面とが、前記入射光の光軸方向に直交する面内で互いに直交する２方向の少なくとも１方向で、互いに略一致するよう位置合せを行う位置合せ手段を備え、
該位置合せ手段は、前記ライトトンネル又は前記遮光手段の一方を係止するように前記ライトトンネル又は前記遮光手段の他方に設けられていることを特徴とする画像投影装置。
【請求項２】
請求項１記載の画像投影装置において、
前記位置合せ手段は、前記ライトトンネル又は前記遮光手段の一方に係止する爪部を備えていることを特徴とする画像投影装置。
【請求項３】
請求項１又は２に記載の画像投影装置において、
前記位置合せ手段は、前記遮光手段を構成する部材を折り曲げて形成されることを特徴とする画像投影装置。
【請求項４】
請求項３記載の画像投影装置において、
前記位置合せ手段は、前記遮光手段を構成する部材を前記遮光面に対して直角に２回折り曲げて形成されることを特徴とする画像投影装置。
【請求項５】
請求項１〜４のいずれかに記載の画像投影装置において、
前記位置合せ手段は、複数の部材で形成されていることを特徴とする画像投影装置。
【請求項６】
請求項１〜５のいずれかに記載の画像投影装置において、
前記ライトトンネル及び前記遮光手段の熱を放出する放熱手段を設けることを特徴とする画像投影装置。
【発明の詳細な説明】
【技術分野】
【０００１】
本発明は、複数回光を反射させることで均一な面光源を得られるライトトンネルを備えた画像投影装置に関するものである。
【背景技術】
【０００２】
この種の画像投影装置として、パソコンやビデオカメラ等から入力される映像信号に応じて変調する光変調素子を用いて表示画像光を生成し、その表示画像光をスクリーン上に投影表示するものが知られている。光変調素子としては、液晶ライトバルブやデジタルマイクロミラーデバイス(Digital Micromirror Device、以下ＤＭＤ（登録商標）という)が知られている。画像投影装置には、光源からの光を多角柱の側面で複数回光を反射させることで均一な面光源を得るために使用される、ライトパイプと呼ばれる光学素子が備わっている。そのライトパイプには、ライトトンネルと呼ばれ内部を中空にして側面をミラーで構成したものや、ロッドと呼ばれガラスなどの透明な物質で多角柱を作成して側面での全反射を利用したものがある。ライトトンネルを備えた画像投影装置として、特許文献１に記載されたものが知られている。
【０００３】
特許文献１には、ＤＭＤへの光の進行方向である光軸方向と、この光軸方向に直交する平面内で互いに直交する２方向とで、ライトトンネルの設置位置を規定する技術が記載されている。画像投影装置における照明光学系筐体には、ライトトンネルの互いに隣り合う２つの第１外表面を支持する２つの支持面が形成されている。これらの支持面に２つの第１外表面を押しつけるため、バネ性を有する部材で形成されているライトトンネルクリップが用いられる。ライトトンネルクリップには、２つの第１外表面にそれぞれ対向するライトトンネルの２つの第２外表面に当接し、第１外表面を支持面の方向に押圧するための押圧部が形成されている。また、ライトトンネルクリップには、照明光学系筐体に設けられている２つの係合孔に挿入する２つの係合爪が形成されている。これらの係合爪は、光軸方向に直交する面内で互いに異なる方向に延びて構成されている。係合爪は、長手方向の先端に係止部が形成され、係合爪に挿入したときその係止部を係合孔の開口端面と照明光学系筐体の係合孔形成部表面とのエッジ部に引っ掛ける。係合爪の係止部が上記エッジ部にバネ力をもって押し当てられることで、係合爪が係合孔から外れ難くなる。
【０００４】
特許文献１では、押圧部によってライトトンネルの第１外表面を照明光学系筐体の支持面に押し当てることで、その支持面のライトトンネルの第１外表面との当接部や、押圧部のライトトンネルの第２外表面との押圧箇所では、静止摩擦力が生じる。それらのライトトンネルクリップによる静止摩擦力により、光軸方向でのライトトンネルの移動は規制される。また、係合爪を係合孔に挿入することで、光軸方向でのライトトンネルクリップの移動は規制される。これらにより、光軸方向でのライトトンネル及びライトトンネルクリップの設置位置の規定は、供に、照明光学系筐体に対する光軸方向での移動を規制することで、行われる。
【０００５】
一方、２つの係合爪を２つの係合孔に挿入すると、２つの係合爪は、光軸方向に直交する面内で互いに異なる方向で、照明光学系筐体に係止される。この結果、ライトトンネルクリップは、光軸方向に直交する平面内で互いに直交する２方向の移動が規制される。また、ライトトンネルクリップの押圧部が支持面の方向にライトトンネルの第２外表面を押圧することで、ライトトンネルの第１外表面は照明光学系筐体の支持面に押し当てられる。この結果、ライトトンネルは、上記２方向の移動が規制される。これらにより、上記２方向のライトトンネル及びライトトンネルクリップの設置位置の規定は、供に、照明光学系筐体に対する上記２方向の移動を規制することで、行われる。
【０００６】
また、ライトトンネルクリップには、光軸方向の端部にマスク部材（遮光手段）が一体に形成されている。このマスク部材は、光源からの光を通過させてライトトンネルの入射口に導く開口部と、ライトトンネルの入射口の外周からの光を遮蔽する遮光部とを有している。ライトトンネル及びライトトンネルクリップの３方向の設置位置が照明光学系筐体に対し規定されたとき、マスク部材の開口部の開口面が、光軸方向及び上記２方向でライトトンネルの入射口の開口面と略一致するよう、マスク部材において開口部の面内での形成位置が定められる。これにより、入射口の外周からの光を遮蔽して光源からの光のみをライトトンネルの入射口に入射させることで、ライトトンネルから出射される光を所望の光量とすることができる。
【発明の概要】
【発明が解決しようとする課題】
【０００７】
しかしながら、上記特許文献１の投影光学装置では、ライトトンネル及びライトトンネルクリップの３方向の設置位置を照明光学系筐体に対し規定した後に他の部品を組み付けたり、装置を使用したりする。これらの組付けや使用の段階で、ライトトンネルクリップの係合爪の延伸方向に対向する方向にライトトンネルクリップに外力が加わったり、その外力が無くなったりする。このとき、例えば係合爪や係合孔の、製造公差や組み付け公差等があると、係止部のエッジ部に対する係止位置がずれる虞がある。この結果、ライトトンネルクリップは、光軸方向及び上記２方向で、規定された設置位置から動いてしまう。上記外力が、ライトトンネルの第１外表面の照明光学系筐体の支持面から離れるような大きさでなければ、ライトトンネルは動かない。これにより、ライトトンネルクリップに形成されているマスク部材の開口部の開口面が、ライトトンネルの入射口の開口面に一致しなくなってしまう。ライトトンネルの入射口に入射されるべき光が、マスク部材における開口部の周囲の遮光部で遮蔽されたり、ライトトンネルの筐体とマスク部材の遮光部との隙間から漏れて装置内を漂う迷光となったりする。これにより、ライトトンネルに入射されるべき光の光量が狙いの値にならず、ライトトンネルから出射される光の光量が安定的に所望量とすることが困難になる。よって、投影画像の照度が所望量より減少し投影画像が暗くなるという問題があった。なお、この問題は、ライトトンネルを用いた場合に限らず、上記ロッドを用いた場合にも、同様に生じ得る問題である。
【０００８】
本発明は以上の問題点に鑑みなされたものであり、その目的は、ライトトンネルの開口面に対する遮光手段の開口面の面内で互いに直交する２方向の少なくとも１方向での位置合せを確実に行いつつ、投影画像の所望量の照度を安定的に確保することができる画像投影装置を提供することである。
【課題を解決するための手段】
【０００９】
上記目的を達成するために、請求項１の発明は、光源と、均一な面光源を得るライトトンネルと、該ライトトンネルからの面光源の光を画像信号に応じて透過又は反射させて変調する光変調素子と、該光変調素子によって変調して生成された表示画像光を投影面に投影する投影手段とを備え、前記光源からの入射光を通過させて前記ライトトンネルの入射口に導く開口部を有する遮光手段を備えた画像投影装置において、前記遮光手段の前記開口部の開口面と、前記ライトトンネルの入射口の開口面とが、前記入射光の光軸方向に直交する面内で互いに直交する２方向の少なくとも１方向で、互いに略一致するよう位置合せを行う位置合せ手段を備え、該位置合せ手段は、前記ライトトンネル又は前記遮光手段の一方を係止するように前記ライトトンネル又は前記遮光手段の他方に設けられていることを特徴とするものである。
【発明の効果】
【００１０】
本発明によれば、ライトトンネルの開口面に対する遮光手段の開口面の面内で互いに直交する２方向の少なくとも１方向での位置合せを確実に行いつつ、投影画像の所望量の照度を安定的に確保することができるという特有な効果が得られる。
【図面の簡単な説明】
【００１１】
【図１】本実施形態に係るプロジェクタ１を示す斜視図である。
【図２】本実施形態に係るプロジェクタ１を示す右側面である。
【図３】外装カバーを外したプロジェクタ１の内部構成を示す横断面図である。
【図４】プロジェクタ１の光学系構成を説明する図である。
【図５】（ａ）は光源側からみた遮光マスク部材及びライトトンネルの正面図、（ｂ）は側面図である。
【図６】（ａ）は光源側からみた遮光マスク部材及びライトトンネルの正面図、（ｂ）は側面図である。
【図７】（ａ）は遮光マスク部材の斜視図、（ｂ）は光源側からみた遮光マスク部材及びライトトンネルの正面図、（ｃ）は側面図、（ｄ）は遮光マスク部材に設けられた爪部材をライトトンネルに係止したときの様子を説明する側面図である。
【図８】変形例の遮光マスク部材の構成を示す側面図である。
【図９】（ａ）は、遮光マスク部材の爪部材を形成する様子の一例を示す平面図、（ｂ）〜（ｄ）は側面図である。
【図１０】（ａ）、（ｂ）は遮光マスク部材の爪部材を形成する様子の他の例を示す平面図、図（ｃ）は側面図である。
【図１１】（ａ）、（ｂ）は遮光マスク部材の爪部材を形成する様子の更に他の例を示す平面図、図（ｃ）は側面図である。
【図１２】（ａ）〜（ｃ）は遮光マスク部材の爪部材を形成する様子の更に他の例を示す平面図、図（ｄ）は側面図である。
【発明を実施するための形態】
【００１２】
以下、本発明が適用される画像投影装置としてのプロジェクタ１の実施形態について説明する。
図１は、本実施形態に係るプロジェクタ１を示す斜視図である。図２は右側面図である。図１及び図２に示すように、プロジェクタ１の上面には、ユーザがプロジェクタ１の電源スイッチ、プロジェクタ１を操作するための操作スイッチ等の操作部１１が設けられている。また、スクリーン２００に映し出されている投影画面を拡大したり、縮小したりするズームレバー１２が設けられている。プロジェクタ１の正面には、装置電源を供給するためのＡＣインレット１３、パソコンやビデオカメラ等の外部機器と接続するための外部入力端子１４、投影画像の光を出射する投影レンズ１５、装置設置環境の照度を検出するセンサ１６などが設けられている。プロジェクタ１における外装カバーの右側面には、冷却用の空気を取り入れる吸気口１７が設けられている。この吸気口１７から外気を吸気する。吸引された外気は、熱源の光源や駆動基板へ移動しながら光源や駆動基板を冷却する。その後、装置内に設けられている排気ファン（不図示）により排気口（不図示）から排気される。
【００１３】
図３は外装カバーを外したプロジェクタ１の内部構成を示す横断面図である。
図３に示すように、プロジェクタ１は、光源２１の光をＤＭＤ３３に導く照明光学部２０と、光源２１からの光を画像信号に応じて変調する光変調部３０と、投影画像を投影する投影部４０とを有している。照明光学部２０は、光源２１、カラーホイール２２、遮光マスク部材２３、ライトトンネル２４、２枚のリレーレンズ２５を有している。光変調部３０は、平面ミラー３１、凹面ミラー３２及びＤＭＤ３３を有している。光源２１としては、ハロゲンランプ、メタルハライドランプ、高圧水銀ランプなどが挙げられる。カラーホイール２２は、円盤形状のものであり、モータ２６のモータ軸に固定され、回転方向にＲ（レッド）、Ｇ（グリーン）、Ｂ（ブルー）のフィルタが設けられている。遮光マスク部材２３では、開口部２３ａの周囲に形成されている遮光部２３ｂによってライトトンネル２４の入射口の外周からの光を遮蔽している。ライトトンネル２４は、四角柱形状であり、その内周面が鏡面となっている。ライトトンネル２４の入射部２４ａに入射した光は、ライトトンネル２４の内周の鏡面で複数回反射しながら均一な面光源にされ出射口２４ｂから出射される。
【００１４】
ＤＭＤ３３は画像表示面を備え、その画像表示面には複数の微小なマイクロミラーが二次元的に配列されている。各マイクロミラーは、鏡面をねじれ軸周りに所定角度傾斜させることができ、「ＯＮ」と「ＯＦＦ」の２つの状態を持たせることができる。マイクロミラーが「ＯＮ」の状態（第１状態）のときは、照明光学部２０からの光を投影部４０の投影レンズに向けて反射する。その反射光は投影レンズによって拡大されスクリーン上に投影される。スクリーン上に３つ色の画像が順次映し出され、残像現象によって人の目の中で色合成される。マイクロミラーが「ＯＦＦ」の状態（第２状態）のときは、投影レンズの入射口の外部に配置されたオフ光板（不図示）に向けて光源２１からの光を反射する。従って、各マイクロミラー面の傾きを個別に制御することにより、映像データの画素ごとに光の投射を制御することができる。なお、「ＯＮ」の状態（第１状態）のときに表示画像光を生成し、「ＯＦＦ」の状態（第２状態）のときに表示画像光を生成しないとしたが、「ＯＦＦ」の状態（第２状態）のときに表示画像光を生成し、「ＯＮ」の状態（第１状態）のときに表示画像光を生成しないとしてもよい。
【００１５】
次に、ライトトンネルを用いたプロジェクタ１の光学系構成について説明する。
図４はプロジェクタ１の光学系構成を説明する図である。図４において、図３と同じ参照符号は同じ構成要素である。なお、以下の説明では、ライトトンネルにおける光軸方向をＺ方向とし、光軸方向と直交する２方向をＸ方向（左右方向）及びＹ方向（上下方向）とする。光源２１から発せられた光Ｌ１は、回転するカラーホイール２２を通ることにより時分割でＲ、Ｇ、Ｂの光に分離される。カラーホイール２２によって分離された光は、遮光マスク部材２３の開口部２３ａを通ってライトトンネル２４の入射部２４ａに集光される。その入射部２４ａから入射した入射光は、ライトトンネル２４内で複数回反射しながら均一な面光源され出射口２４ｂから出射し、２枚のリレーレンズ２５で平行光Ｌ２にされＤＭＤ３３に導かれる。
【００１６】
ここで、通常、部品の公差及び組立公差を考慮して、ＤＭＤ３３上に照射される平行光Ｌ２の照明位置調整は、ライトトンネル２４をＸ軸方向、Ｙ軸方向及びＺ方向にそれぞれ位置調整することで行われる。ＤＭＤ３３のマイクロミラーを「ＯＮ」の状態と「ＯＦＦ」の状態とに切替える。マイクロミラーが「ＯＮ」状態であるときでは照明光学部２０からの光を投影部４０の投影レンズに向けて反射する。「ＯＦＦ」の状態であるときでは照明光学部２０からの光を投影レンズの外部に配置されているオフ光板（不図示）に向けて反射する。
【００１７】
パソコンやビデオカメラ等から入力される映像データを基に映像を生成し、その映像を表示装置に表示したり、図１に示すプロジェクタ１として図２の投影面としてのスクリーン２００等に投影表示したりする。プロジェクタ１として広く知られた液晶プロジェクタは、近来、液晶パネルの高解像化、光源ランプの高効率化に伴う明るさの改善、低価格化などが進んでいる。また、画像表示素子であるＤＭＤを利用した小型で、軽量なプロジェクタ１が普及し、オフィスや学校のみならず家庭においても広く利用されるようになってきている。光源２１からの光が、照明光学部２０内で、照射された白色光をカラーホイール２２によってＲＧＢに分光されて、光変調部３０のＤＭＤ３３へ導かれ、変調信号に応じて画像形成するＤＭＤ３３とその画像を投影部４０の投影レンズで拡大投射する。
【００１８】
以下、本実施形態のプロジェクタの特徴部分である遮光マスク部材の構成について説明する。
はじめに、従来例のプロジェクタにおける遮光マスク部材の構成について説明する。図５は従来例の遮光マスク部材の構成を説明する図である。図５（ａ）は光源側からみた遮光マスク部材とライトトンネルの正面図、図５（ｂ）は側面図である。図６は遮光マスク部材が光軸方向に直交する面内で動いたときの様子を説明する図である。図６（ａ）は光源側からみた遮光マスク部材とライトトンネルの正面図、図６（ｂ）は側面図である。
【００１９】
図５に示すように、ライトトンネル２４は、装置筐体（不図示）に対し光軸方向で位置決めされて係止されている。遮光マスク部材２３は、板材で構成され、光軸方向に直交する面内でライトトンネル２４の入射部２４ａの開口面と略同じ形状の開口面を有する開口部２３ａが形成されている。開口部２３ａの周囲には、突当部２３ｃが形成され、その突当部２３ｃはライトトンネル２４の構成部材の肉厚部における入射部２４ａ側の端面２４ｃに突き当てられる。遮光マスク部材２３の開口部２３ａの開口面は、遮光マスク部材２３及びライトトンネル２４が装置筐体に位置決めされて係止されたときに、光軸方向に直交する面内で互いに直交する２方向で、ライトトンネル２４の入射部２４ａの開口面と略一致するよう、予め形成されている。他の部品の組み付け時や装置の使用時に、遮光マスク部材２３とライトトンネル２４の少なくとも一方に外力が加わることがある。この結果、例えば、図６に示すように、遮光マスク部材２３が光軸方向に直交する面内で動いてしまうと、遮光マスク部材２３の開口部２３ａの開口面は、ライトトンネル２４の入射部２４ａの開口面と合わなくなる。
【００２０】
この結果、光源からの光が、遮光マスク部材２３の遮光部２３ｂとライトトンネル２４の構成部材の肉厚部における入射２４ａ側の端面２４ｃと重なった重なり部５１で遮蔽される。ライトトンネル２４に入射されるべき光が、遮光マスク部材２３の開口部２３ａと重なったライトトンネル２４の端面２４ｃとで形成された隙間５２から洩れて装置内を漂う迷光となってしまう。これにより、ライトトンネル２４の出射口２４ｂから出射される光の光量は所望量より減少してしまう。
【００２１】
次に、本実施形態のプロジェクタにおける遮光マスク部材の構成について説明する。
図７は本実施形態の遮光マスク部材の構成を説明する図である。図７（ａ）は遮光マスク部材の斜視図、図７（ｂ）は光源側からみた遮光マスク部材の平面図、図７（ｃ）は側面図、図７（ｄ）は遮光マスク部材に設けられた爪部材をライトトンネルに係止したときの様子を説明する側面図である。
【００２２】
図７（ａ）、（ｂ）、（ｃ）に示すように、遮光マスク部材２３には、光源側からみて、ライトトンネル２４の外形の上外面及び底外面に沿うようにライトトンネル２４側に突き出た形状の板材で形成されている２つの爪部材６０を備えている。これらの爪部材６０は、遮光マスク部材２３における開口部２３ａの外周に形成されている突当部２３ｃに隣接する外周に接着又は溶着されている。爪部材６０は、弾性力を有する部材で形成され、図７（ｄ）に示すように、その弾性力でライトトンネル２４の外形の上外面及び底外面を上下方向から挟み込む。爪部材６０のライトトンネル２４との当接部分では静止摩擦力が生じており、横方向の動きも規制されている。２つの爪部材６０でライトトンネル２４を挟み込んだとき、入射光の光軸方向に対して直交する面内で互いに直交する２方向で、遮光マスク部材２３の開口部２３ａの開口面がライトトンネル２４の入射部２４ａの開口面と互いに略一致するよう、遮光マスク部材２３の面内において開口部２３ａの形成箇所が定められる。上下方向からの外力が加わっても、上記静止摩擦力より小さい力であれば横方向から加わっても、遮光マスク部材２３とライトトンネル２４とは供に動く。この結果、入射光の光軸方向に対し直交する面内で互いに直交する２方向で遮光マスク部材２３の開口部２３ａの開口面とライトトンネル２４の入射部２４ａの開口面との位置合せは、保持される。入射光の光軸方向に対し直交する面内で互いに直交する２方向では、遮光マスク部材２３とライトトンネル２４の少なくとも一方に、ライトトンネル２４に入射されるべき光が遮蔽されたり、ライトトンネル２４の外部へ洩れたりすることが抑制される。これにより、ライトトンネル２４に入射されるべき光だけがライトトンネル２４の入射部２４ａに入射される。よって、投影画像の照度を安定的に所望量に確保することができる。
【００２３】
なお、爪部材６０は、ライトトンネル２４側に設けてもよい。また、例えばライトトンネル２４が四角柱の筐体で形成されている場合、爪部材６０は、図７に示すような上外面及び底外面に設けたものに限らず、両側外面あるいは全ての外面に設けたものでもよい。ライトトンネル２４が三角柱や五角柱以上の多角柱の筐体で形成されている場合、爪部材６０は、遮光マスク部材２３又はライトトンネル２４の一方を係止した状態で、遮光マスク部材２３の開口面とライトトンネル２４の開口面とが、入射光の光軸方向に直交する面内で互いに直交する２方向の少なくとも１方向で互いに略一致するように設けられていればよい。装置本体の異なる形態に応じて爪部材を構成することができるよう、爪部材は遮光マスク部材２３やライトトンネル２４とは別体で複数の部材で形成されてもよい。上記実施形態では、内部が中空である多角柱の内面をミラーで構成したライトトンネルを用いた場合で説明したが、ガラスなどの透明な物質で多角柱を作成して内側面での全反射を利用したロッドを用いた場合でも上記実施形態と同様な効果が得られる。
【００２４】
（変形例）
次に、上記実施形態に係るプロジェクタにおける遮光マスク部材の一変形例（以下、本変形例を「変形例」という。）について説明する。
図８は変形例の遮光マスク部材の構成を示す側面図である。
ライトトンネル２４では、内部で多くの回数で光が反射するため、発熱することが知られている。図８に示すように、遮光マスク部材２３の爪部材６０をライトトンネル２４の外形に当接しているので、ライトトンネル２４で発生した熱は爪部材６０を介して遮光マスク部材２３の遮光部２３ｂに伝わる。これにより、ライトトンネル２４では冷却され、均一な平面光を安定的に出射できる。一方、遮光マスク部材２３の板材がライトトンネル２４からの伝わってきた熱によって厚み方向に直交する面内で歪み、遮光マスク部材２３の開口部２３ａにおける開口面の開口断面形状が変形する虞がある。位置合せ後であっても、遮光マスク部材２３の開口部２３ａにおける開口面が、ライトトンネル２４の入射部２４ａにおける開口面に合わなくなる。そこで、図８に示すように、遮光マスク部材２３の遮光部２３ｂに放熱部材としてのフィン７０を設け、このフィン７０から熱を放出することで遮光マスク部材２３の温度を下げる。よって、遮光マスク部材２３の熱による歪みを抑制することができる。
【００２５】
次に、遮光マスク部材の爪部材を形成する方法の一例について説明する。
図９は、遮光マスク部材の爪部材を形成する様子の一例を説明する図である。図９（ａ）は平面図、図９（ｂ）〜（ｄ）は側面図である。図９（ａ）、（ｂ）に示すように、遮光マスク部材２３の遮光部２３ｂを、開口部２３ａを挟んで長手方向の両方向に幅広に設ける。遮光部２３ｃ及び遮光部２３ｄは、図９（ａ）中の一点鎖線で示す折れ曲げ線８１に沿って図９（ｂ）中の矢印Ａの方向に向けて１８０度折り曲げる。図９（ｃ）に示すように、遮光部２３ｅは、図９（ａ）中の二点鎖線に示す折れ曲げ線８２に沿って図９（ｃ）中の矢印Ｂの方向にライトトンネル側に９０度折り曲げる。これにより、図９（ｄ）に示すような爪部材６０を形成する。
【００２６】
次に、遮光マスク部材の爪部材を形成する方法の他の例について説明する。
図１０は、遮光マスク部材の爪部材を形成する様子の他の例を説明する図である。図１０（ａ）、（ｂ）は平面図、図１０（ｃ）は側面図である。図１０（ａ）に示すように、遮光マスク部材２３の遮光部２３ｂを一方向の左側方向に幅広に設け、図１０（ａ）中の破線の切り取り線８３に沿って切断する。図１０（ａ）中の一点鎖線の折り曲げ線８４に沿って遮光部２３ｆ、２３ｇを図１０（ａ）中の矢印Ｃの方向でライトトンネル側に１８０度折り曲げる。さらに図１０（ａ）中の二点鎖線の折り曲げ線８５に沿って遮光部２３ｇをライトトンネル側に９０度折り曲げる。これにより、図１０（ｂ）、（ｃ）に示すような爪部材６０を形成する。
【００２７】
次に、遮光マスク部材の爪部材を形成する方法のさらに他の例について説明する。
図１１は、遮光マスク部材の爪部材を形成する様子の他の例を説明する図である。図１１（ａ）、（ｂ）は平面図、図１１（ｃ）は側面図である。図１１（ａ）に示すように、遮光マスク部材２３の遮光部２３ｂを一方向の左側方向に幅広に設け、図１１（ａ）中の破線の切り取り線８３に沿って切断する。図１１（ａ）中の一点鎖線の折り曲げ線８４に沿って遮光部２３ｆ、２３ｇを図１１（ａ）中の矢印Ｃの方向でライトトンネル側に９０度折り曲げる。さらに図１１（ａ）中の二点鎖線の折り曲げ線８５に沿って遮光部２３ｇを上下に９０度折り曲げる。これにより、図１１（ｂ）、（ｃ）に示すような爪部材６０を形成する。
【００２８】
次に、遮光マスク部材の爪部材を形成する方法のさらに他の例について説明する。
図１２は、遮光マスク部材の爪部材を形成する様子の一例を説明する図である。図１２（ａ）、（ｂ）、（ｃ）は平面図、図１２（ｄ）は側面図である。図１２（ａ）に示すように、遮光マスク部材２３の遮光部２３ｂを両側方向に幅広に設け、図１２（ａ）中の破線の切り取り線８３に沿って遮光部２３ｇを切り取る。図１２（ｂ）に示すように、残った遮光部２３ｈ及び遮光部２３ｉを図１２（ｂ）中の一点鎖線の折り曲げ線８６に沿ってライトトンネル側に１８０度折り曲げる。さらに遮光部２３ｉを図１２（ｂ）中の二点鎖線の折り曲げ線８７に沿ってライトトンネル側に９０度折り曲げる。これにより、図１２（ｃ）、（ｄ）に示すような爪部材６０を形成する。
【００２９】
以上に説明したものは一例であり、本発明は、次の態様毎に特有の効果を奏する。
（態様Ａ）
光源２１と、均一な面光源を得るライトトンネル２４と、該ライトトンネル２４からの面光源の光を画像信号に応じて透過又は反射させて変調するＤＭＤ３３等の光変調素子と、該光変調素子によって変調して生成された表示画像光をスクリーン２００等の投影面に投影する投影部４０等の投影手段とを備え、光源２１からの入射光を通過させてライトトンネル２４の入射部２４ａに導く開口部を有する遮光マスク部材２３等の遮光手段を備えた画像投影装置において、遮光マスク部材２３の開口部２３ａの開口面と、ライトトンネル２４の入射部２４ａの開口面とが、入射光の光軸方向に直交する面内で互いに直交する２方向の少なくとも１方向で、互いに略一致するよう位置合せを行う爪部材６０等の位置合せ手段を備え、爪部材６０は、ライトトンネル２４又は遮光マスク部材２３の一方を係止するようにライトトンネル２４又は遮光マスク部材２３の他方に設けられている。
これによれば、上記実施形態について説明したように、遮光マスク部材２３とライトトンネル２４とが爪部材６０によって位置合せされている状態では、遮光マスク部材２３又はライトトンネル２４の一方に設けられた爪部材６０が遮光マスク部材２３又はライトトンネル２４の他方を係止している。このため、遮光マスク部材２３又はライトトンネル２４の少なくとも一方に、位置合せ方向に外力が加わったときでは、位置合せを保持しながら、供に動く。この結果、光軸方向に直交する面内で互いに直交する２方向の少なくとも１方向における位置ずれによって、ライトトンネル２４の入射口に入射されるべき光が遮光マスク部材２３の遮光部に遮蔽されたり、ライトトンネルの筐体とマスク部材の遮光部との隙間から漏れて装置内を漂う迷光となったりすることは抑制される。これにより、ライトトンネル２４への入射光の光量は狙いの量になり、ライトトンネル２４から出射される光の光量は所望量となる。よって、投影画像の照度を安定的に所望量に確保することができる。
（態様Ｂ）
（態様Ａ）において、位置合せ手段は、ライトトンネル２４と遮光マスク部材２３の少なくとも一方に係止する爪部材６０を備えている。これによれば、上記実施形態について説明したように、遮光マスク部材２３又はライトトンネル２４が、爪部材６０で相手部材と係止される。これにより、遮光マスク部材２３とライトトンネル２４とが互いに連結され、ライトトンネル２４の開口面に対する遮光マスク部材２３の開口面の面内での位置ズレは抑制できる。
（態様Ｃ）
（態様Ａ）又は(態様Ｂ)において、位置合せ手段は、遮光マスク部材２３又はライトトンネル２４を構成する部材を折り曲げて形成される。これによれば、上記実施形態について説明したように、位置合せ手段を、遮光マスク部材２３又はライトトンネル２４と一体で形成するので、部品点数を減らすことができ、コストを抑えられる。
（態様Ｄ）
（態様Ｃ）において、位置合せ手段は、遮光マスク部材２３を構成する部材を遮光面に対して直角に２回折り曲げて形成される。これによれば、上記実施形態について説明したように、位置合せ手段を簡易な組立工程で形成でき、製造コストを抑えられる。
（態様Ｅ）
（態様Ａ）〜（態様Ｄ）のいずれかにおいて、位置合せ手段は、複数の部材で形成されている。これによれば、上記実施形態について説明したように、装置本体の異なる形態に応じて爪部材を構成することができる。
（態様Ｆ）
（態様Ａ）〜（態様Ｅ）のいずれかにおいて、ライトトンネル２４及び遮光マスク部材２３の熱を放出するフィン７０などの放熱手段を設ける。これによれば、上記実施形態の変形例について説明したように、ライトトンネル２４の温度を低減でき、ライトトンネル２４の均一化を安定的に行うことができるとともにライトトンネル２４からの伝熱を放熱手段から放出できる。
【符号の説明】
【００３０】
１  プロジェクタ
１１  操作部
１２  ズームレバー
１３  ＡＣインレット
１４  外部入力端子
１５  投影レンズ
１６  センサ
１７  吸気口
２０  照明光学部
２１  光源
２２  カラーホイール
２３  遮光マスク部材
２３ａ  開口部
２３ｂ  遮光部
２３ｃ  突当部
２４  ライトトンネル
２４ａ  入射部
２４ｂ  出射部
２４ｃ  端面
２５  リレーレンズ
２６  モータ
３０  光変調部
３１  平面ミラー
３２  凹面ミラー
３３  ＤＭＤ
４０  投影部
５１  重なり部
５２  隙間
６０  爪部材
７０  フィン
２００  スクリーン
【先行技術文献】
【特許文献】
【００３１】
【特許文献１】特開２００７−２５６３３７号公報
【図１】
2015169679.tif 000003
【図２】
2015169679.tif 000004
【図３】
2015169679.tif 000005
【図４】
2015169679.tif 000006
【図５】
2015169679.tif 000007
【図６】
2015169679.tif 000008
【図７】
2015169679.tif 000009
【図８】
2015169679.tif 000010
【図９】
2015169679.tif 000011
【図１０】
2015169679.tif 000012
【図１１】
2015169679.tif 000013
【図１２】
2015169679.tif 000014